(57)【要約】  ゴルフクラブヘッド及びゴルフクラブヘッド製造方法の実施形態は、概して本明細書に記載されている。ゴルフクラブヘッドは、様々な厚さの領域を持つフェース部を有するボディ部を含んでもよい。一例では、ゴルフクラブヘッドは、第１の厚さを持つ中央部と、第１の厚さよりも小さい第２の厚さを持つ外側壁部と、第２の厚さよりも小さい第３の厚さを持つ複数の内側壁部とを含んでもよい。ゴルフクラブヘッドは、ボディ部と、複数のウェイト部とを含んでもよい。他の実施例及び実施形態は、明細書で説明され、特許請求の範囲に記載される。【選択図】図２
2019504686.tif 000002
【特許請求の範囲】
【請求項１】
フェース部を有するフロント部と、リア部と、トウ部と、ヒール部と、トップ部と、ボトム部とを有するボディ部を備えたゴルフクラブヘッドであって、
前記フェース部は、
第１の厚さの中央部と、
前記中央部を少なくとも部分的に取り囲むとともに前記第１の厚さより小さい第２の厚さを有する外側壁部と、
複数の内側壁部とを備え、
前記複数の内側壁部は、
前記中央部と前記外側壁部とを接続するとともに前記中央部から前記トウ部に向かって延伸する第１の内側壁部であり、厚さが前記中央部から前記外側壁部に向かって前記第１の厚さから前記第２の厚さまで減少する、前記第１の内側壁部と、
前記中央部と前記外側壁部とを接続するとともに前記中央部から前記ヒール部に向かって延伸する第２の内側壁部であり、厚さが前記中央部から前記外側壁部に向かって前記第１の厚さから前記第２の厚さまで減少する、前記第２の内側壁部と、
前記中央部と前記外側壁部とを接続するとともに前記中央部から前記トップ部に向かって延伸する第３の内側壁部であり、厚さが前記中央部から前記外側壁部に向かって前記第１の厚さから前記第２の厚さまで減少する、前記第３の内側壁部と、
前記中央部と前記外側壁部とを接続するとともに前記中央部から前記ボトム部に向かって延伸する第４の内側壁部であり、厚さが前記中央部から前記外側壁部に向かって前記第１の厚さから前記第２の厚さまで減少する、前記第４の内側壁部とを有することを特徴とするゴルフクラブヘッド。
【請求項２】
請求項１に記載のゴルフクラブヘッドにおいて、
前記フェース部は、複数のバック部領域を有し、
前記複数のバック部領域のうちの１つは、前記外側壁部を少なくとも部分的に取り囲み、
前記複数のバック部領域のうちの他のバック部領域の各々は、前記中央部と前記外側壁部と隣接する内側壁部との間にあり、
各バック部領域は、前記第１の厚さ及び前記第２の厚さよりも小さい厚さを有することを特徴とするゴルフクラブヘッド。
【請求項３】
請求項１に記載のゴルフクラブヘッドにおいて、
前記フェース部は、複数のバック部領域を有し、
前記複数のバック部領域のうちの１つは、前記外側壁部を少なくとも部分的に取り囲み、
前記複数のバック部領域のうちの他のバック部領域の各々は、前記中央部と前記外側壁部と隣接する内側壁部との間にあり、
前記複数のバック部領域の各バック部領域は、同様の厚さを有することを特徴とするゴルフクラブヘッド。
【請求項４】
請求項１に記載のゴルフクラブヘッドにおいて、
前記ボトム部にある複数のポートと、複数のウェイト部とを更に備え、
前記複数のポートの各ポートは、前記複数のウェイト部の各ウェイト部を受けるように構成されたことを特徴とするゴルフクラブヘッド。
【請求項５】
請求項１に記載のゴルフクラブヘッドにおいて、
前記複数の内側壁部の各内側壁部の幅は、前記中央部と前記外側壁部の間で変化することを特徴とするゴルフクラブヘッド。
【請求項６】
請求項１に記載のゴルフクラブヘッドにおいて、
前記複数の内側壁部の各内側壁部の断面構造は、前記中央部と前記外側壁部の間で変化することを特徴とするゴルフクラブヘッド。
【請求項７】
フェース部を有するフロント部と、リア部と、トウ部と、ヒール部と、トップ部と、ボトム部とを有するボディ部を備えたゴルフクラブヘッドであって、
前記フェース部は、
第１の厚さを有する第１の領域であり、前記フェース部の中央部またはその近傍に少なくとも部分的に位置する、前記第１の領域と、
前記第１の厚さよりも小さい第２の厚さを有する第２の領域であり、前記第１の領域を少なくとも部分的に取り囲む、前記第２の領域と、
複数の第３の領域であり、前記第３の領域の各々は前記第１の領域と前記第２の領域の間に設けられ、前記第３の領域の各々は前記第１の領域又はその近傍で前記第１の厚さを有するとともに前記第２の領域又はその近傍で前記第２の厚さを有する、前記複数の第３の領域と、
複数の第４の領域であり、前記第４の領域の各々は前記第１の領域と前記第２の領域と隣接する第３の領域との間に設けられ、前記第４の領域の各々は前記第１の厚さ及び前記第２の厚さよりも小さい厚さを有する、前記複数の第４の領域と、
前記第２の領域を少なくとも部分的に取り囲む第５の領域であり、前記第１の厚さ及び前記第２の厚さよりも小さい厚さを有する、前記第５の領域とを備えたことを特徴とするゴルフクラブヘッド。
【請求項８】
請求項７に記載のゴルフクラブヘッドにおいて、
前記第４の領域の各々の幅は、前記第１の領域と前記第２の領域の間で変化することを特徴とするゴルフクラブヘッド。
【請求項９】
請求項７に記載のゴルフクラブヘッドにおいて、
前記第４の領域の各々の断面構造は、前記第１の領域と前記第２の領域の間で変化することを特徴とするゴルフクラブヘッド。
【請求項１０】
請求項７に記載のゴルフクラブヘッドにおいて、
前記複数の第３の領域は、
前記第１の領域から前記トウ部に向かって前記第２の領域まで延伸する第１の内側壁部と、
前記第１の領域から前記ヒール部に向かって前記第２の領域まで延伸する第２の内側壁部と、
前記第１の領域から前記トップ部に向かって前記第２の領域まで延伸する第３の内側壁部と、
前記第１の領域から前記ボトム部に向かって前記第２の領域まで延伸する第４の内側壁部とを備えたことを特徴とするゴルフクラブヘッド。
【請求項１１】
請求項７に記載のゴルフクラブヘッドにおいて、
前記ボトム部にある複数のポートと、複数のウェイト部とを更に備え、
前記複数のポートの各ポートは、前記複数のウェイト部の各ウェイト部を受けるように構成されたことを特徴とするゴルフクラブヘッド。
【請求項１２】
請求項７に記載のゴルフクラブヘッドにおいて、
前記第１の領域と、前記第２の領域と、前記第３の領域の各々は、前記フェース部の裏側から前記ボディ部内に突き出た前記フェース部の部分によって画定されることを特徴とするゴルフクラブヘッド。
【請求項１３】
請求項７に記載のゴルフクラブヘッドにおいて、
前記第１の領域と、前記第２の領域と、前記第３の領域の各々は、前記フェース部の裏側の壁によって画定されることを特徴とするゴルフクラブヘッド。
【請求項１４】
フェース部厚さを持つフェース部を有するフロント部と、リア部と、トウ部と、ヒール部と、トップ部と、ボトム部とを有するボディ部を備えたゴルフクラブヘッドであって、
前記フェース部は、
前記フェース部厚さよりも大きい第１の厚さを有する中央部と、
前記中央部を少なくとも部分的に取り囲む外側壁部であり、前記第１の厚さよりも小さく前記フェース部厚さよりも大きい第２の厚さを有する、前記外側壁部と、
前記中央部から前記外側壁部まで延伸する複数の内側壁部であり、各内側壁部は前記外側壁部又はその近傍よりも前記中央部又はその近傍の方が大きい厚さを有する、前記複数の内側壁部とを備えたことを特徴とするゴルフクラブヘッド。
【請求項１５】
請求項１４に記載のゴルフクラブヘッドにおいて、
前記フェース部は、複数のバック部領域を有し、
前記複数のバック部領域のうちの１つは、前記外側壁部を少なくとも部分的に取り囲み、
前記複数のバック部領域のうちの他のバック部領域の各々は、前記中央部と前記外側壁部と隣接する内側壁部との間にあり、
各バック部領域は、前記第１の厚さ及び前記第２の厚さよりも小さい厚さを有することを特徴とするゴルフクラブヘッド。
【請求項１６】
請求項１４に記載のゴルフクラブヘッドにおいて、
前記フェース部は、複数のバック部領域を有し、
前記複数のバック部領域のうちの１つは、前記外側壁部を少なくとも部分的に取り囲み、
前記複数のバック部領域のうちの他のバック部領域の各々は、前記中央部と前記外側壁部と隣接する内側壁部との間にあり、
前記複数のバック部領域の各バック部領域は、同様の厚さを有することを特徴とするゴルフクラブヘッド。
【請求項１７】
請求項１４に記載のゴルフクラブヘッドにおいて、
前記ボトム部にある複数のポートと、複数のウェイト部とを更に備え、
前記複数のポートの各ポートは、前記複数のウェイト部の各ウェイト部を受けるように構成されたことを特徴とするゴルフクラブヘッド。
【請求項１８】
請求項１４に記載のゴルフクラブヘッドにおいて、
前記複数の内側壁部の各内側壁部の幅は、前記中央部と前記外側壁部の間で変化することを特徴とするゴルフクラブヘッド。
【請求項１９】
請求項１４に記載のゴルフクラブヘッドにおいて、
前記複数の内側壁部の各内側壁部の断面構造は、前記中央部と前記外側壁部の間で変化することを特徴とするゴルフクラブヘッド。
【請求項２０】
請求項１４に記載のゴルフクラブヘッドにおいて、
前記内側壁部は、前記中央部から前記トウ部、前記ヒール部、前記トップ部、及び前記ボトム部のそれぞれに向かって延伸する少なくとも４つの内側壁部を含むことを特徴とするゴルフクラブヘッド。
【発明の詳細な説明】
【技術分野】
【０００１】
［著作権表示］
本開示は、著作権による保護の対象となり得る。著作権者は、特許商標庁の特許ファイル又は記録に表れるように、本開示又はその関連文書が何人かによりファクシミリ複製されることに異議を持たないが、そうでない場合には全ての著作権を留保する。
【０００２】
［関連出願の相互参照］
本出願は、2016年2月5日に出願された米国仮出願第62/291,793号の利益を主張する。本出願はまた、米国仮出願第62/291,793号の利益を主張する、2016年9月21日に出願された米国出願第15/271,574号の利益を主張する。参照出願の開示は、参照により本明細書に組み込まれる。
【０００３】
［技術分野］
本開示は、一般にスポーツ用品に関し、より具体的には、ゴルフクラブヘッド及びゴルフクラブヘッド製造方法に関する。
【背景技術】
【０００４】
ゴルフでは、種々の要因が、ゴルフボールの進む距離や方向に影響を与え得る。具体的には、ゴルフクラブヘッドの重心（ＣＧ）及び／又は慣性モーメント（ＭＯＩ）が、インパクト時のゴルフボールの打ち出し角、スピンレート、及び方向に影響を与え得る。このような要因が、ゴルフスイングのタイプによって大きく変化する。
【図面の簡単な説明】
【０００５】
【図１】図１は、本明細書に記載の器具、方法、及び製造物の一実施形態に関する例示的なゴルフクラブヘッドの上面斜視図である。
【０００６】
【図２】図２は、図１に例示したゴルフクラブヘッドの底面斜視図である。
【０００７】
【図３】図３は、図１に例示したゴルフクラブヘッドの平面図である。
【０００８】
【図４】図４は、図１に例示したゴルフクラブヘッドの底面図である。
【０００９】
【図５】図５は、図１に例示したゴルフクラブヘッドの正面図である。
【００１０】
【図６】図６は、図１に例示したゴルフクラブヘッドの背面図である。
【００１１】
【図７】図７は、図１に例示したゴルフクラブヘッドのトウ側から見た図である。
【００１２】
【図８】図８は、図１に例示したゴルフクラブヘッドのヒール側から見た図である。
【００１３】
【図９】図９は、図１に例示したゴルフクラブヘッドの例示的なボディ部の底面図である。
【００１４】
【図１０】図１０は、図１に例示したゴルフクラブヘッドの例示的なボディ部の断面図である。
【００１５】
【図１１】図１１は、図１に例示したゴルフクラブヘッドの２つのウェイトポートを示す図である。
【００１６】
【図１２】図１２は、図１に例示したゴルフクラブヘッドの例示的なウェイト部の平面図である。
【００１７】
【図１３】図１３は、図１０に例示したウェイト部の側面図である。
【００１８】
【図１４】図１４は、図１に例示したゴルフクラブヘッドの例示的な打ち出し軌道プロファイルを示す図である。
【００１９】
【図１５】図１５は、例示的なウェイト部の第１のウェイト配置を示す図である。
【００２０】
【図１６】図１６は、例示的なウェイト部の第２のウェイト配置を示す図である。
【００２１】
【図１７】図１７は、例示的なウェイト部の第３のウェイト配置を示す図である。
【００２２】
【図１８】図１８は、例示的なウェイト部の第４のウェイト配置を示す図である。
【００２３】
【図１９】図１９は、図１８に例示したゴルフクラブヘッドの例示的な打ち出し軌道プロファイルを示す図である。
【００２４】
【図２０】図２０は、本明細書で例示したゴルフクラブヘッドを製造する１つの方法を示す図である。
【００２５】
【図２１】図２１は、別の例示的なゴルフクラブヘッドの底面図である。
【００２６】
【図２２】図２２は、更に別の例示的なゴルフクラブヘッドの底面図である。
【００２７】
【図２３】図２３は、更に別の例示的なゴルフクラブヘッドの正面図である。
【００２８】
【図２４】図２４は、図２３に例示したゴルフクラブヘッドの例示的なフェース部の断面図である。
【００２９】
【図２５】図２５は、別の例示的なゴルフクラブヘッドの正面図である。
【００３０】
【図２６】図２６は、図２５に例示したゴルフクラブヘッドの例示的なフェース部の断面図である。
【００３１】
【図２７】図２７は、別の例示的なゴルフクラブヘッドの正面図である。
【００３２】
【図２８】図２８は、図２７に例示したゴルフクラブヘッドの例示的なフェース部の断面図である。
【００３３】
【図２９】図２９は、図２７に例示したゴルフクラブヘッドの別の例示的なフェース部の断面図である。
【発明を実施するための形態】
【００３４】
説明の簡素化及び明確化のために、図面は構造を一般的な方法で示し、周知の機能及び技術の説明及び詳細は本開示を不必要に不明瞭にすることを避けるために省略される。また、図面中の要素は必ずしも一定の縮尺では描かれない。例えば、図面中の一部の要素の寸法は、本開示の実施例の理解の改善を助けるために他の要素に対して誇張され得る。
【００３５】
一般に、ゴルフクラブヘッド及びゴルフクラブヘッド製造方法が本明細書に記載される。本明細書に記載の器具、方法、及び製造物は、これに限定されない。
【００３６】
図１〜図１３の例では、ゴルフクラブヘッド１００は、ボディ部１１０と、概して第１セットのウェイト部２１０（図２）及び第２セットのウェイト部２２０（図２）として示される、複数のウェイト部１２０とを含んでもよい。ボディ部１１０は、トップ１３０と、ボトム部１４０と、トウ部１５０と、ヒール部１６０と、フロント部１７０と、リア部１８０とを含んでもよい。ボトム部１４０は、フロント部１７０を除くトップ部１３０とボトム部１４０との間に、トウ部１５０からリア部１７０を回ってヒール部１６０に至るゴルフクラブヘッド１００の周囲を横断して設けられる、ゴルフクラブヘッド１００のサイド部として規定されたスカート部１９０を含んでもよい。ボトム部１４０は、推移領域２３０とウェイトポート領域２４０とを含んでもよい。例えば、ウェイトポート領域２４０は、Ｄ字状の領域であってもよい。ウェイトポート領域２４０は、複数のウェイト部１２０を受ける複数のウェイトポート９００（図９）を含んでもよい。フロント部１７０は、ゴルフボール（不図示）に対するフェース部１７５を含んでもよい。ボディ部１１０は、シャフト（不図示）を受けるホーゼル部１６５を含んでもよい。あるいは、ボディ部１１０は、ホーゼル部１６５に代えてボアを含んでもよい。例えば、ボディ部１１０は、部分的に又は完全に、アルミニウム系材料、マグネシウム系材料、鋼系材料、チタン系材料、それらの任意の組み合わせ、又は他の適切なタイプの材料で作製されてもよい。別の例では、ボディ部１１０は、部分的に又は完全に、セラミック材料、複合材料、それらの任意の組み合わせ、又は他の適切なタイプの材料のような、非金属材料で作製されてもよい。
【００３７】
ゴルフクラブヘッド１００は、３００立方センチメートル（ｃｍ3又はｃｃ）以上のクラブヘッド体積を有してもよい。一例では、ゴルフクラブヘッド１００は、約４６０ｃｃであってもよい。あるいは、ゴルフクラブヘッド１００は、３００ｃｃ以下のクラブヘッド体積を有してもよい。具体的には、ゴルフクラブヘッド１００は、１００ｃｃ〜２００ｃｃの間のクラブヘッド体積を有してもよい。ゴルフクラブヘッド１００のクラブヘッド体積は、加重水置換法（すなわち、アルキメデスの原理）を用いて測ることができる。例えば、ゴルフ標準団体、及び／又は、全米ゴルフ協会（ＵＳＧＡ）及び／又は全英ゴルフ協会（Ｒ＆Ａ）等のような運営組織によって規定された手順を、ゴルフクラブヘッド１００のクラブヘッド体積を測定するために使用することができる。図１は特定のタイプのクラブヘッド（例えば、ドライバー型クラブヘッド）を示すが、本明細書に記載の器具、方法、及び製造物は、他のタイプのクラブヘッド（例えば、フェアウェイウッド型クラブヘッド、ハイブリッド型クラブヘッド、アイアン型クラブヘッド、パター型クラブヘッド、等）に適用されてもよい。本明細書に記載の器具、方法、及び製造物は、これに限定されない。
【００３８】
概して４０５、４１０、４１５、４２０、４２５、４３０、４３５（図４）として示される、第１セットのウェイト部２１０の各々は、第１質量と関連付けられてもよい。概して４４０、４４５、４５０、４５５、４６０、４６５、４７０、４７５、４８０（図４）として示される、第２セットのウェイト部２２０の各々は、第２質量と関連付けられてもよい。第１質量は、第２質量より大きくてもよく、又はその逆でもよい。一例では、第１セットのウェイト部２１０は、タングステン系材料で作製され得る一方で、第２セットのウェイト部２２０は、アルミニウム系材料で作製され得る。以下に詳細に説明するように、第１セット及び第２セットのウェイト部２１０、２２０は、それぞれ、種々のウェイト配置を提供することができる（例えば、図１５〜図１８）。
【００３９】
図９〜図１１を参照すると、例えば、ボディ部１１０のボトム部１４０は、複数のウェイトポート９００を含んでもよい。概して９０５、９１０、９１５、９２０、９２５、９３０、９３５、９４０、９４５、９５０、９５５、９６０、９６５、９７０、９７５、９８０として示される、複数のウェイトポート９００は、ボトム部１４０のウェイトポート領域２４０の周縁に沿って配置される。複数のウェイトポート９００は、ボトム部１４０を横断して設けられてもよい。具体的には、複数のウェイトポート９００は、ボトム部１４０を横断して、トウ部１５０とヒール部１６０のそれぞれの間に設けられてもよい。複数のウェイトポート９００はまた、ボトム部１４０を横断して、フロント部１７０とリア部１８０のそれぞれの間に設けられてもよい。複数のウェイトポート９００は、概してＤ字状のループを画定する経路に沿ってボトム部１４０を横断して配置されてもよい。一例では、複数のウェイトポート９００は、ボトム部１４０を横断して、トウ部１５０とヒール部１６０のそれぞれの間の最大トウ−ヒール間距離５００の５０％以上に設けられてもよい。ゴルフクラブヘッド１００の最大トウ−ヒール間距離５００は、トウ部１５０とヒール部１６０のそれぞれの間で、トップ部１３０とボトム部１４０のそれぞれの間の推移領域から測定されてもよい。あるいは、最大トウ−ヒール間距離５００は、トウ部１５０とヒール部１６０のそれぞれの最外点の垂直投影間の水平距離であってもよい。例えば、最大トウ−ヒール間距離５００は、ゴルフクラブヘッド１００が約６０度のライ角５１０である場合に測定されてもよい。ヒール部１６０の最外点を容易に規定できない場合には、ヒール部１６０の最外点は、接地面５３０（例えば、ゴルフクラブヘッド１００が置かれる水平面）の上側の約０．８７５インチ（２２．２３ミリメートル）の高さ５２０に決めてもよい。一例では、最大トウ−ヒール間クラブヘッド距離５００は、５インチ（１２７ミリメートル）以上でなくともよい。したがって、複数のウェイトポート９００は、トウ部１５０とヒール部１６０のそれぞれの間の少なくとも２．５インチに設けられてもよい。複数のウェイトポート９００の最大トウ−ヒール間ウェイトポート距離９９５は、ウェイトポート９４０と９８０の間に延びてもよい。例えば、複数のウェイトポート９００の最大トウ−ヒール間ウェイトポート距離９９５は、約３．７インチであってもよい。ゴルフのルールが時々変更される（例えば、ゴルフ標準団体及び／又は運営組織によって、新たな規則が採用され、又は古い規定が撤廃又は修正される）ように、最大トウ−ヒール間距離５００を測定するためのライ角５１０及び／又は高さ５２０も変更されてもよい。本明細書に記載の器具、方法、及び製造物は、これに限定されない。
【００４０】
複数のウェイトポート９００の各々は、（例えば、図１１に１１０５、１１１０として示される）ポート径（Ｄport）と関連付けられてもよい。例えば、複数のウェイトポート９００の各ウェイトポートのポート径は、約０．３インチ（７．６５ミリメートル）であってもよい。あるいは、隣接するウェイトポートのポート径は、異なってもよい。一例では、ウェイトポート９０５は、ポート径１１０５と関連付けられてもよく、ウェイトポート９１０は、ポート径１１１０と関連付けられてもよい。具体的には、ウェイトポート９０５のポート径１１０５は、ウェイトポート９１０のポート径１１１０より大きくてもよく、又はその逆でもよい。本明細書に記載の器具、方法、及び製造物は、これに限定されない。
【００４１】
ボトム部１４０はまた、外側面９９０を含んでもよい。図１０に示すように、例えば、複数のウェイトポート９００は、外側面９９０によって形成された外側面カーブ１０９０に関してボトム部１４０に形成されてもよい。具体的には、複数のウェイトポート９００の各々は、概して１００５、１０１０、１０１５として示されるポート軸と関連付けられてもよい。ウェイトポートの中心は、ウェイトポートのポート軸を規定してもよい。各ポート軸は、ポート軸と外側面カーブ１０９０との交点で外側面カーブ１０９０に接する面に対して垂直又は実質的に垂直であってもよい。一例では、実質的に垂直とは、垂直から±５°のずれを指すものでもよい。他の例では、実質的に垂直とは、垂直から±３°のずれを指すものでもよい。垂直からのずれは、製造上の公差に依存してもよい。
【００４２】
一例では、ポート軸１０１０は、外側面カーブ１０９０の接平面１０１２に対して垂直又は実質的に垂直（すなわち、法線）であってもよい。複数の固定具を、種々の位置でのゴルフクラブヘッド１００の位置調整によって複数のウェイトポート９００を作製するために使用されてもよい。あるいは、ウェイトポートは多軸加工プロセスによって作製されてもよく、複数のウェイトポート９００を形成するために余分な材料を（例えば、水ジェット切断及び／又はレーザー切断による）フライス加工で取り除くよう複数の軸の周りにゴルフクラブヘッドを回転させることができる。更に、多軸加工プロセスは、フライス工具を表面の周囲に接線方向に移動できるので、適切な表面仕上げを提供することができる。したがって、本明細書に記載の器具、方法、及び製造物は、ボトム部１４０に複数のウェイトポート９００の各々を形成するために多軸加工プロセスを使用してもよい。例えば、５軸フライス盤は、複数のウェイトポート９００の各々のポート軸１０００を外側面カーブ１０９０に対して垂直又は実質的に垂直となるように、複数のウェイトポート９００を形成することができる。５軸フライス盤の工具は、外側面９９０の外側面カーブ１０９０について接線方向に移動されてもよい。
【００４３】
図１１を参照すると、例えば、隣接する２つのウェイトポートは、外側面カーブ１０９０上の隣接する２つのウェイトポート間の最短距離であるポート距離１１００で離されてもよい。具体的には、ポート距離１１００は、隣接する２つのウェイトポートのうちのいずれかのポート径以下であってもよい。一例では、ウェイトポート９０５と９１０の間のポート距離１１００は、ポート径１１０５又はポート径１１１０のいずれか以下であってもよい。本明細書に記載の器具、方法、及び製造物は、これに限定されない。
【００４４】
複数のウェイト部１２０は、類似又は異なる物理的特性（例えば、密度、形状、質量、体積、サイズ、色、等）を有してもよい。一例では、第１セットのウェイト部２１０は、黒色であり得る一方で、第２セットのウェイト部２２０は、灰色又は鋼色であり得る。複数のウェイト部１２０の一部又は全部は、部分的に又は完全に、鋼系材料、タングステン系材料、アルミニウム系材料、それらの任意の組み合わせ、又は適切なタイプの材料のような、金属材料で作製されてもよい。あるいは、複数のウェイト部１２０の一部又は全部は、部分的に又は完全に、非金属材料（例えば、複合材料、プラスチック、等）で作製されてもよい。
【００４５】
図１２、１３に例を図示するように、複数のウェイト部１２０の各ウェイト部は、円筒形状（例えば、円形の断面）を有してもよい。上記の例は特定の形状を持つウェイト部を記載しているが、本明細書に記載の器具、方法、及び製造物は、他の適切な形状（例えば、球体の一部又は全部、立方体、円錐、円柱、角錐、円錐台、立方体状、角柱、錐台、又は他の適切な幾何学的形状）のウェイト部を含んでもよい。複数のウェイト部１２０の各ウェイト部は、直径１２００及び高さ１３００と関連付けられてもよい。一例では、複数のウェイト部１２０の各ウェイト部は、約０．３インチ（７．６２ミリメートル）の径及び約０．２インチ（５．０８ミリメートル）の高さを有してもよい。あるいは、第１及び第２セットのウェイト部２１０、２２０は、それぞれ、幅及び／又は高さが異なってもよい。
【００４６】
複数のウェイト部１２０の各ウェイト部は、他のゴルフクラブヘッドのようなリアからフロントに向かう方向に代えて、ボトムからトップに向かう方向の複数のウェイトポート４００の１つに係合してもよい。複数のウェイト部１２０は、ウェイトポートに固定するためのネジ山を含んでもよい。例えば、複数のウェイト部１２０の各ウェイト部は、ネジであってもよい。複数のウェイト部１２０は、工具有り又は無しで、ボディ部１１０から容易に取り外し可能でなくともよい。あるいは、複数のウェイト部１２０は、１以上のウェイト部１２０を比較的重い又は軽いウェイト部にそれぞれ付け替えることができるように、（例えば、工具有りで）容易に取り外し可能であってもよい。別の例では、複数のウェイト部１２０は、複数のウェイト部１２０を容易に取り外しできないように、エポキシ樹脂又は接着剤でボディ部１１０のウェイトポートに固定されてもよい。更に別の例では、複数のウェイト部１２０は、複数のウェイト部１２０を容易に取り外しできないように、エポキシ樹脂及びネジ山の両方でボディ部１１０のウェイトポートに固定されてもよい。本明細書に記載の器具、方法、及び製造物は、これに限定されない。
【００４７】
他のゴルフクラブヘッドとは対照的に、ゴルフクラブヘッド１００は、少なくとも４つの異なるタイプのゴルフスイングに対応することができる。図１４に示すように、例えば、各ウェイト配置は、概して１４１０、１４２０、１４３０として示される、複数の打ち出し軌道プロファイル１４００の１つと関連付けられてもよい。図１５を参照すると、例えば、第１のウェイト配置１５００は、第１セットのウェイトポート１５１０の配置と関連付けられてもよい。第１セットのウェイトポート１５１０は、フロント部１７０又はその近傍（例えば、図９に例示するウェイトポート９０５、９１０、９１５、９２０、９２５、９３０、９３５）に配置されてもよい。第１のウェイト配置１５００では、第１セットのウェイト部は、第１セットのウェイトポート１５１０の配置に従ってフロント部１７０に向かって配置され得る一方で、第２セットのウェイト部は、リア部１８０に向かって配置され得る。具体的には、第１セットのウェイト部は、第１セットのウェイトポート１５１０の配置に従ってフロント部１７０又はその近傍でクラスターを形成してもよい。ウェイト部４０５、４１０、４１５、４２０、４２５、４３０、４３５は、第１セットのウェイト部を規定して、ウェイトポート９０５、９１０、９１５、９２０、９２５、９３０、９３５のそれぞれに配置されてもよい。ウェイト部４４０、４４５、４５０、４５５、４６０、４６５、４７０、４７５、４８０は、第２セットのウェイト部を規定して、ウェイトポート９４０、９４５、９５０、９５５、９６０、９６５、９７０、９７５、９８０のそれぞれに配置されてもよい。第１のウェイト配置１５００は、第１の打ち出し軌道プロファイル１４１０（図１４）と関連付けられてもよい。具体的には、第１のウェイト配置１５００は、ゴルフボールのスピンレートを減少させることができる。第１セットのウェイトポート１５１０の配置に従ってゴルフクラブヘッド１００のフロント部１７０に向かって比較的重いウェイト部（すなわち、第１セットのウェイト部）を配置することで、ゴルフクラブヘッド１００の重心（ＧＣ）を、比較的低い打ち出し及びスピン軌道を提供するように比較的前方及び下方に移動させることができる。その結果、第１の打ち出し軌道プロファイル１４１０は、比較的大きいロール距離（すなわち、地面に衝突した後の距離）と関連付けることができる。上記の例は、特定のウェイトポートにウェイト部を配置する記述であるが、第１セットのウェイト部２１０の任意のウェイト部は、第１セットのウェイトポート１５１０の任意のウェイトポートに配置されてもよい。
【００４８】
図１６を参照すると、例えば、第２のウェイト配置１６００は、第２セットのウェイトポート１６１０の配置と関連付けられてもよい。第２セットのウェイトポート１６１０は、リア部（例えば、図９に例示するウェイトポート９４５、９５０、９５５、９６０、９６５、９７０、９７５）又はその近傍に配置されてもよい。図１６に示す第２のウェイト配置１６００では、例えば、第１セットのウェイト部は、リア部１８０に向かって配置され得る一方で、第２セットのウェイト部は、フロント部１７０に向かって配置され得る。具体的には、第１セットのウェイト部は、第２セットのウェイトポート１６１０の配置に従ってリア部１８０又はその近傍でクラスター１６１０を形成してもよい。ウェイト部４０５、４１０、４１５、４２０、４２５、４３０、４３５は、第１セットのウェイト部を規定して、ウェイトポート９４５、９５０、９５５、９６０、９６５、９７０、９７５のそれぞれに配置されてもよい。ウェイト部４４０、４４５、４５０、４５５、４６０、４６５、４７０、４７５、４８０は、第２セットのウェイト部を規定して、ウェイトポート９０５、９１０、９１５、９２０、９２５、９３０、９３５、９４０、９８０のそれぞれに配置されてもよい。第２のウェイト配置１６００は、第２の打ち出し軌道プロファイル１４２０（図１４）と関連付けられてもよい。具体的には、第２のウェイト配置１６００は、ゴルフボールの打ち出し角を増加させ、寛容性を最大にすることができる。第２セットのウェイトポート１６１０の配置に従ってゴルフクラブヘッド１００のリア部１８０に向かって比較的重いウェイト部（すなわち、第１セットのウェイト部）を配置することで、ゴルフクラブヘッド１００の重心（ＧＣ）を、比較的高い打ち出し及びスピン軌道を提供するように比較的後方及び上方に移動させることができる。更に、ゴルフクラブヘッド１００の慣性モーメント（ＭＯＩ）を、水平軸（フロント−バック軸）と垂直軸（トップ−ボトム軸）の両方で増加させることができ、中心を外れた打撃のより高い寛容性を提供することができる。その結果、第２の打ち出し軌道プロファイル１４２０は、比較的大きいキャリー距離（すなわち、空中の距離）と関連付けることができる。
【００４９】
図１７を参照すると、例えば、第３のウェイト配置１７００は、第３セットのウェイトポート１７１０の配置と関連付けられてもよい。第３のウェイト配置１７００では、例えば、第１セットのウェイト部は、ヒール部１６０に向かって配置され得る一方で、第２セットのウェイト部は、トウ部１５０に向かって配置され得る。具体的には、第１セットのウェイト部は、第３セットのウェイトポート１７１０の配置に従ってヒール部１６０又はその近傍でウェイト部のクラスターを形成してもよい。ウェイト部４０５、４１０、４１５、４２０、４２５、４３０、４３５は、第１セットのウェイト部を規定して、ウェイトポート９２５、９３０、９３５、９４０、９４５、９５０、９５５のそれぞれに配置されてもよい。ウェイト部４４０、４４５、４５０、４５５、４６０、４６５、４７０、４７５、４８０は、第２セットのウェイト部を規定して、ウェイトポート９０５、９１０、９１５、９２０、９６０、９６５、９７０、９７５、９８０のそれぞれに配置されてもよい。第３のウェイト配置１７００は、第３の打ち出し軌道プロファイル１４３０（図１４）と関連付けられてもよい。具体的には、第３のウェイト配置１７００は、各人がゴルフクラブヘッド１００を比較的容易にターンオーバーすることを可能にすることができる（すなわち、ゴルフボールのインパクトに対してフェース部１７５を整える）。ゴルフクラブヘッド１００のヒール部１６０に向かって比較的重いウェイト部（すなわち、第１セットのウェイト部）を配置することで、ゴルフクラブヘッド１００の重心（ＧＣ）をシャフトの軸の比較的近くに移動させることができる。
【００５０】
図１８を参照すると、例えば、第４のウェイト配置１８００は、第４セットのウェイトポート１８１０の配置と関連付けられてもよい。第４のウェイト配置１８００では、例えば、第１セットのウェイト部は、トウ部１５０に向かって配置され得る一方で、第２セットのウェイト部はヒール部１６０に向かって配置され得る。具体的には、第１セットのウェイト部は、第４セットのウェイトポート１８１０の配置に従ってトウ部１５０又はその近傍でウェイト部のクラスターを形成してもよい。ウェイト部４０５、４１０、４１５、４２０、４２５、４３０、４３５は、第１セットのウェイト部を規定して、ウェイトポート９０５、９１０、９１５、９６５、９７０、９７５、９８０のそれぞれに配置されてもよい。ウェイト部４４０、４４５、４５０、４５５、４６０、４６５、４７０、４７５、４８０は、第２セットのウェイト部を規定して、ウェイトポート９２０、９２５、９３０、９３５、９４０、９４５、９５０、９５５、９６０のそれぞれに配置されてもよい。第４のウェイト配置１８００は、第３の打ち出し軌道プロファイル１４３０（図１４）と関連付けられてもよい。具体的には、第４のウェイト配置１８００は、各人がゴルフクラブヘッド１００をターンオーバーすることを妨げるようにしてもよい（すなわち、フェース部１７５をゴルフボールのインパクトに対してよりオープンにする）。ゴルフクラブヘッド１００のトウ部１５０に向かって比較的重いウェイト部（すなわち、第１セットのウェイト部）を配置することで、ゴルフクラブヘッド１００の重心（ＧＣ）をシャフトの軸から比較的遠くに移動させることができる。第４のウェイト配置１８００は、フェードのゴルフショット（図１９に示すように、例えば、右利きの人にとって、ゴルフボールがターゲット１９１０の左に向かって進み、ターゲットの右に向かって戻るように曲がる軌道又はボールの飛行）になることがある。本明細書に記載の器具、方法、及び製造物は、これに限定されない。
【００５１】
図２０は、本明細書に記載のゴルフクラブヘッド１００を製造する１つの方法を示す図である。図２０の例では、プロセス２０００は、複数のウェイト部を供給することで開始され得る（ブロック２０１０）。複数のウェイト部は、第１セットのウェイト部と第２セットのウェイト部を含んでもよい。第１セットのウェイト部の各ウェイト部は、第１の質量と関連付けられ得る一方で、第２セットのウェイト部の各ウェイト部は、第２の質量と関連付けられ得る。第１の質量は、第２の質量より大きくてもよい。一例では、第１セットのウェイト部の各ウェイト部は、２．６グラムの質量のタングステン系材料で作製され得る一方で、第２セットのウェイト部の各ウェイト部は、０．４グラムの質量のアルミニウム系材料で作製され得る。第１セットのウェイト部は、灰色又は鋼色であり得る一方で、第２セットのウェイト部は、黒色であり得る。
【００５２】
プロセス２０００は、ゴルフクラブヘッドのボディ部を供給してもよい（ブロック２０２０）。ボディ部は、フロント部、リア部、トウ部、ヒール部、トップ部、外側面カーブと関連付けられた外側面を持つボトム部、及びトップ部とボトム部の間のスカート部を含んでもよい。
【００５３】
プロセス２００は、ボトム部及びスカート部又はそれらの近傍に位置するウェイトポート領域を形成してもよい（ブロック２０３０）。推移領域は、ウェイトポート領域の周りを囲んでもよい。
【００５４】
プロセス２０００は、ウェイトポート領域の周縁に沿って複数のウェイトポートを形成してもよい（ブロック２０４０）。複数のウェイトポートの各ウェイトポートは、ポート径と関連付けられて、複数のウェイト部の少なくとも１つのウェイト部を受けるよう構成されてもよい。隣接する２つのウェイトポートは、ポート径以下で離されてもよい。更に、複数のウェイトポートの各ウェイトポートは、ポート軸と関連付けられてもよい。ポート軸は、ゴルフクラブヘッドのボトム部の外側面カーブの接平面に対して垂直又は実質的に垂直であってもよい。
【００５５】
図２０のプロセス２０００の例は、単に、ゴルフクラブヘッド１００を製造する１つの方法の例を図１〜図１９と共に提供し、説明している。アクションの特定の順序を図２０に示しているが、これらのアクションは、他の経時的な順番で実行されてもよい。例えば、図２０に示す２以上のアクションは、連続して、同時に、又は一斉に実行されてもよい。図２０は特定の数のブロックを示すが、プロセスは、１以上のブロックを実行しなくてもよい。本明細書に記載の器具、方法、及び製造物は、これに限定されない。
【００５６】
上記の例に示すように、複数のウェイト部１２０及び複数のウェイトポート９００は、概して図４に４９０、９９５として示すように、２つの弧で形成された概してＤ字状のループを画定する経路に沿ってウェイトポート領域２４０の周縁に配置されてもよい。例えば、ウェイト部４０５、４１０、４１５、４２０、４２５、４３０、４３５（図４）、及び、ウェイトポート９０５、９１０、９１５、９２０、９２５、９３０、９３５（図９）は、第１の弧４９０を形成してもよい。具体的には、第１の弧４９０は、トウ部１５０とヒール部１６０のそれぞれの間に、ボトム部１４０を横断して設けられてもよい。ウェイト部４４０、４４５、４５０、４５５、４６０、４６５、４７０、４７５、４８０（図４）、及び、ウェイトポート９４０、９４５、９５０、９５５、９６０、９６５、９７０、９８０（図９）は、第２の弧４９５を形成してもよい。第２の弧４９５は、概してボディ部１１０のリア部１８０の輪郭に従ってもよい。あるいは、第１及び第２の弧４９０、４９５は、ボトム部１４０を横断して設けられる他の形状のループを画定してもよい（例えば、概してＯ字状のループ）。本明細書に記載の器具、方法、及び製造物は、これに限定されない。
【００５７】
上記の例は、特定の幾何学的形状に形成された複数のウェイト部１２０及び複数のウェイトポート９００を記載するが、本明細書に記載の器具、方法、および製造物は、他の幾何学的形状に形成されたウェイト部領域の周縁に沿って設けられたウェイト部及びウェイトポートを有してもよい。図２１を参照すると、例えば、ゴルフクラブヘッド２１００は、ボトム部２１１０と、複数のウェイトポート２１３０に配置された複数のウェイト部２１２０とを含んでもよい。複数のウェイトポート２１３０は、ボトム部２１１０のウェイトポート領域２１４０の周縁に沿って配置されてもよい（すなわち、複数のウェイトポート２１３０は、トウ部２１１２とヒール部２１１４のそれぞれの間にボトム部２１１０を横断して設けられてもよい）。複数のウェイト部１２０及び複数のウェイトポート９００（例えば、図４、図９）とは対照的に、複数のウェイトポート２１３０は、ボトム部２１１０を横断して設けられる、概して２１５０、２１５５として示される、２つの別々の弧を形成してもよい。複数のウェイトポート２１３０は、ゴルフクラブヘッド２１００の最大トウ−ヒール間距離２１９０の５０％以上に設けられてもよい。本明細書に記載の器具、方法、及び製造物は、これに限定されない。
【００５８】
図２２に示すように、例えば、ゴルフクラブヘッド２２００は、ボトム部２２１０と、複数のウェイトポート２２３０に配置された複数のウェイト部２２２０とを含んでもよい。ウェイトポート領域２２４０の周縁に沿って配置された複数のウェイトポート２２３０は、ボトム部２２１０を横断して延びる、概して２２５０として示される、弧を画定する経路に沿って配置されてもよい（すなわち、複数のウェイトポート２２３０は、ボトム部２２１０を横断してトウ部２２１２とヒール部２２１４の間に設けられてもよい）。複数のウェイトポート２２３０は、ゴルフクラブヘッド２２００の最大トウ−ヒール間距離２２９０の５０％以上に設けられてもよい。本明細書に記載の器具、方法、及び製造物は、これに限定されない。
【００５９】
本明細書に記載の実施例に係るゴルフクラブヘッドは、様々な厚さ又は任意のタイプの厚さプロファイルを持つフェース部を有してもよい。図２３及び図２４の例では、ゴルフクラブヘッド２３００は、トップ部２３３０と、ボトム部２３４０と、トウ部２３５０と、ヒール部２３６０と、フロント部２３７０と、リア部（不図示）とを含むボディ部２３１０を含んでもよい。ボディ部２３１０はまた、シャフト（不図示）を受けるホーゼル部２３６５を含んでもよい。あるいは、ボディ部２３１０は、ホーゼル部２３６５に代えてボアを含んでもよい。ボトム部２３４０は、複数のウェイト部（不図示）を受けるよう構成された複数のウェイトポート（不図示）を各々が有する１以上のウェイトポート領域（不図示）を含んでもよい。ウェイトポート領域、ウェイトポート及び／又はウェイト部は、（例えば、上記の実施例で示したように）本明細書に記載のウェイトポート領域、ウェイトポート及びウェイト部と多くの点で類似してもよい。あるいは、ボトム部２３４０は、ウェイトポート及び／又はウェイト部を持つ任意のウェイトポート領域を有しなくてもよい。本明細書に記載の器具、方法、及び製造物は、これに限定されない。
【００６０】
ボディ部２３１０は、部分的に又は完全に、アルミニウム系材料、マグネシウム系材料、鋼系材料、チタン系材料、それらの任意の組み合わせ、又は他の適切なタイプの材料で作製されてもよい。別の例では、ボディ部２３１０は、部分的に又は完全に、セラミック材料、複合材料、それらの任意の組み合わせ、又は他の適切なタイプの材料のような、非金属材料で作製されてもよい。
【００６１】
ゴルフクラブヘッド２３００は、３００立方センチメートル（ｃｍ3又はｃｃ）以上のクラブヘッド体積を有してもよい。一例では、ゴルフクラブヘッド２３００は、約４６０ｃｃであってもよい。あるいは、ゴルフクラブヘッド２３００は、３００ｃｃ以下のクラブヘッド体積を有してもよい。具体的には、ゴルフクラブヘッド２３００は、１００ｃｃ〜２００ｃｃの間のクラブヘッド体積を有してもよい。ゴルフクラブヘッド２３００のクラブヘッド体積は、加重水置換法（すなわち、アルキメデスの原理）を用いて測ることができる。例えば、ゴルフ標準団体、及び／又は、全米ゴルフ協会（ＵＳＧＡ）及び／又は全英ゴルフ協会（Ｒ＆Ａ）等のような運営組織によって規定された手順を、ゴルフクラブヘッド２３００のクラブヘッド体積を測定するために使用することができる。図２３は特定のタイプのクラブヘッド（例えば、ドライバー型クラブヘッド）を示すが、本明細書に記載の器具、方法、及び製造物は、他のタイプのクラブヘッド（例えば、フェアウェイウッド型クラブヘッド、ハイブリッド型クラブヘッド、アイアン型クラブヘッド、パター型クラブヘッド、等）に適用されてもよい。本明細書に記載の器具、方法、及び製造物は、これに限定されない。
【００６２】
フロント部２３７０は、打撃面でもある外側２３８０と、内側２３９０とを有するフェース部２３７５を含んでもよい。フェース部２３７５の幾つかの部分は、本明細書に記載のように、トップ部２３３０とボトム部２３４０の間、及び／又は、トウ部２３５０とヒール部２３６０の間で、一定の又は変化する厚さを有してもよい。フェース部２３７５の最小の厚さは、本明細書ではフェース部厚さ（ＴFP）と称され得る。一例では、フェース部厚さは、０．０３インチ（０．７６２ｃｍ）〜０．１２インチ（０．３０５ｃｍ）の間（０．０３＜ＴFP＜０．１２）であってもよい。別の例では、フェース部厚さは、０．０４インチ（０．１０２ｃｍ）〜０．１インチ（０．２５４ｃｍ）の間（０．０４＜ＴFP＜０．１）であってもよい。更に別の例では、フェース部厚さは、０．０５インチ（０．１２７ｃｍ）〜０．０９インチ（０．２２９ｃｍ）の間（０．０５＜ＴFP＜０．０９）であってもよい。本明細書に記載の器具、方法、及び製造物は、これに限定されない。
【００６３】
図２４に示すように、例えば、内側２３９０は、概してフェース部２３７５のインパクト領域又はその付近でのフェース部２３７５の厚さとして画定され得る、第１の厚さ（Ｔ1）を有する中央部２４００を含んでもよい。フェース部２３７５のインパクト領域は、１．６８インチ（４．２７ｃｍ）の幅を有する、フェース部２３７５の中間の下にある中央ストリップとして画定されてもよい。中央部２４００は、フェース部２３７５のインパクト領域の範囲内にあってもよい。したがって、一例では、中央部２４００は、約０．８４インチ（２．１４４ｃｍ）以下の半径を有してもよい。中央部の半径は、任意の対称又は非対称の形状を有する中央部２４００の幾何学的中心から中央部２４００の境界までの最大の距離であってもよい。別の例では、中央部２４００は、約０．７インチ（１．７７８ｃｍ）以下の半径を有してもよい。更に別の例では、中央部２４００は、約０．６インチ（１．５２４ｃｍ）以下の半径を有してもよい。更に別の例では、中央部２４００は、約０．５インチ（１．２７ｃｍ）以下の半径を有してもよい。更に別の例では、中央部２４００は、約０．４インチ（１．２７ｃｍ）以下の半径を有してもよい。更に別の例では、中央部２４００は、ゴルフボール（不図示）の半径と概ね同様な半径を有してもよい。あるいは、中央部２４００は、インパクト領域より大きくてもよい。更に、中央部２４００の幾つかの部分はインパクト領域の外側に設けられ得るものの、中央部２４００の他の部分はインパクト領域内に設けられ得る。本明細書に記載の器具、方法、及び製造物は、これに限定されない。
【００６４】
第１の厚さは、フェース部厚さより大きくてもよい（Ｔ1＞ＴFP）。中央部２４００は、概してフェース部２３７５のインパクト領域又はゴルフボール（不図示）を打つのに使用されるフェース部２３７５の領域に配置されてもよい。中央部２４００は、フェース部２３７５の幾何学的中心に対して、トップ部２３３０、ボトム部２３４０、トウ部２３５０、又はヒール部２３６０の方にずらされてもよい。中央部２４００は、任意の形状を有してもよい。例えば、中央部２４００は、概して正方形、長方形、三角形、円形、楕円形、五角形、六角形、多角形、又は星形のいずれか、又はそれらの組み合わせであってもよい。本明細書に記載の器具、方法、及び製造物は、これに限定されない。
【００６５】
フェース部２３７５の内側２３９０は、概して図２４に内側壁部２４１２、２４１４、２４１６、２４１８、２４２０として示される、複数の内側壁部２４１０を含んでもよい。したがって、図２４の例では、ボディ部２３１０は、５つの内側壁部２４１０（すなわち、第１〜第５の内側壁部）を含む。本明細書に記載の壁部（例えば、内側壁部又は外側壁部）は、フェース部２３７５の内側２３９０からボディ部２３１０内に突き出たフェース部２３７５の内側２３９０の部分又は領域を画定してもよい。換言すれば、本明細書に記載の壁部は、フェース部厚さ（ＴFP）より大きい厚さを有するフェース部２３７５の部分又は領域を画定してもよい。内側２３９０は、任意の数の内側壁部２４１０を含んでもよい。内側壁部２４１０は、中央部２４００から内側２３９０の外側壁部２４３０まで延伸してもよい。内側壁部２４１０は、中央部２４００に接続されてもよく、及び／又は外側壁部２４３０に接続されてもよい。内側壁部２４１０は、任意の構成（すなわち、任意の向き、角度、隣接する内側壁部との間隔など）で、中央部２４００から外側壁部２４３０まで延伸してもよい。
【００６６】
例えば、内側壁部２４１２は、中央部２４００からトウ部２３５０に向かって延伸してもよい。内側壁部２４１４は、中央部２４００からボトム部２３４０に向かって延伸してもよい。内側壁部２４１６は、中央部２４００からヒール部２３６０に向かって延伸してもよい。内側壁部２４１８は、中央部２４００からトップ部２３３０及びヒール部２３６０に向かって延伸してもよい。内側壁部２４２０は、中央部２４００からトップ部２３３０及びトウ部２３５０に向かって延伸してもよい。
【００６７】
更に、内側壁部２４１０は、幅が変化してもよい。一例では、内側壁部２３１０の任意の幅は、約０．１インチ（０．２５４ｃｍ）〜約０．７５インチ（１．９０５ｃｍ）の間であってもよい。別の例では、内側壁部２３１０の任意の幅は、約０．２インチ（０．５０８ｃｍ）〜約０．５インチ（１．２７ｃｍ）の間であってもよい。内側壁部２４１０はまた、断面形状が変化してもよい。一例では、１以上の内側壁部は、長方形の断面形状を有してもよい。別の例では、１以上の内側壁部は、楕円形の断面形状を有してもよい。更に別の例では、１以上の内側壁部は、台形状の断面形状を有してもよい。あるいは、各内側壁部の断面構造及び／又は幅は、中央部２４００と外側壁部２４３０の間で変化してもよい。本明細書に記載の器具、方法、及び製造物は、これに限定されない。
【００６８】
外側壁部２４３０は、第１の厚さよりも小さい（Ｔ2＜Ｔ1）がフェース部厚さ（ＴFP）より大きい第２の厚さ（Ｔ2）を有してもよい。しかしながら、外側壁部２４３０の厚さは変化してもよい。第２の厚さは、概して外側壁部２４３０又はその付近でのフェース部２３７５の厚さとして画定されてもよい。外側壁部２４３０は、中央部２４００を少なくとも部分的に取り囲んでもよい。図２４の例では、外側壁部２４３０は、中央部２４００を取り囲むループに似ている。一例では、第１の厚さは、約０．１インチ（０．２５ｃｍ）〜約０．２インチ（０．５０ｃｍ）の間であってもよく（０．１＜Ｔ1＜０．２）、第２の厚さは、０．０５インチ（０．１３ｃｍ）〜０．１５インチ（０．３８ｃｍ）の間であってもよい。別の例では、第１の厚さは、約０．１２５インチ（０．３２ｃｍ）〜約０．１７５インチ（０．４４ｃｍ）の間であってもよく、第２の厚さは、約０．０７５インチ（０．１９ｃｍ）〜約０．１２５インチ（０．３２ｃｍ）の間であってもよい。本明細書に記載の器具、方法、及び製造物は、これに限定されない。
【００６９】
中央部２４００と、内側壁部２４１０と、外側壁部２４３０との間において、フェース部２３７５の内側２３９０は、概してバック部領域２４５２、２４５４、２４５６、２４５８、２４６０、２４６２として示される、バック部領域２４５０を含んでもよい。バック部領域２４５２、２４５４、２４５６、２４５８、２４６０の各々は、中央部２４００と、２つの隣接する内側壁部２４１０と、外側壁部２４３０の対応する部分とによって結合されてもよい。バック部領域２４６２は、外側壁部２４３０を取り囲んでもよい。バック部領域２４５０は、同じ厚さを有してもよく、異なる厚さを有してもよい。バック部領域２４５０は、第１の厚さよりも小さく（Ｔ3＜Ｔ1）且つ第２の厚さよりも小さい（Ｔ3＜Ｔ2）第３の厚さ（Ｔ3）を有してもよい。第３の厚さは、概してバック部領域２４５０又はその付近でのフェース部２３７５の厚さとして画定されてもよい。一例では、バック部領域２４５０の任意の厚さは、フェース部厚さ（ＴFP）と同じでもよい。一例では、バック部領域２４５０は、約０．０３インチ（０．７６２ｃｍ）〜約０．１４インチ（０．３６ｃｍ）の間の第３の厚さを有してもよい。別の例では、バック部領域２４５０は、約０．０５インチ（０．１２７ｃｍ）〜約０．１２インチ（０．３０ｃｍ）の間の第３の厚さを有してもよい。別の例では、バック部領域２４５０は、フェース部厚さと同様の厚さを有してもよい。本明細書に記載の器具、方法、及び製造物は、これに限定されない。
【００７０】
内側壁部２４１０の各々は、一定の厚さ又は変化する厚さを有してもよい。一例では、内側壁部２４１０の各々の厚さは、中央部２４００から外側壁部２４３０まで延伸する内側壁部２４１０のように、中央部２４００から外側壁部２４３０に向かう方向において、第１の厚さ（Ｔ1）から第２の厚さ（Ｔ2）に推移してもよい。したがって、各内側壁部２４１０の厚さは、内側壁部２４１０と中央部２４００の間の接続領域における第１の厚さ（Ｔ1）と同様であってもよく、各内側壁部２４１０の厚さは、内側壁部２４１０と外側壁部２４３０の間の接続領域における第２の厚さ（Ｔ2）と同様であってもよい。本明細書に記載の器具、方法、及び製造物は、これに限定されない。
【００７１】
本明細書に記載された及び図２４に示された例によれば、フェース部２３７５は、フェース部２３７５のインパクト領域又はその近傍にあって中央部２４００とも称される、フェース部厚さよりも大きい第１の厚さＴ1を有する、第１の領域を含んでもよい。フェース部２３７５は、本明細書では外側壁部２４３０とも称される、第１の領域を少なくとも部分的に取り囲むとともに第１の厚さＴ1よりも小さい第２の厚さＴ2を有する、第２の領域を含んでもよい。フェース部２３７５は、内側壁部２４１０とも称される、第１の厚さＴ1以下で且つ第２の厚さＴ2以上の一定の又は変化する厚さを有する、複数の第３の領域を含んでもよい。フェース部２３７５は、本明細書ではバック部領域２４５０とも称される、第１の厚さＴ1及び第２の厚さＴ2より小さい第３の厚さＴ3を有し、あるいはフェース部厚さ（ＴFP）と同様の第３の厚さＴ3を有する、複数の第４の領域を含んでもよい。バック部領域２４６２は、第３の厚さＴ3を有するとともに第２の領域又は外側壁部２４３０を取り囲み、本明細書では第５の領域とも称され得る。このように、フェース部２３７５は、本明細書に記載のように構成された異なる厚さを有する複数の領域を含む。本明細書に記載の器具、方法、及び製造物は、これに限定されない。
【００７２】
図２５及び図２６の例では、ゴルフクラブヘッド２５００は、トップ部２５３０と、ボトム部２５４０と、トウ部２５５０と、ヒール部２５６０と、フロント部２５７０と、リア部（不図示）とを含むボディ部２５１０を含んでもよい。ボディ部２５１０はまた、シャフト（不図示）を受けるホーゼル部２５６５を含んでもよい。あるいは、ボディ部２５１０は、ホーゼル部２５６５に代えてボアを含んでもよい。ボトム部２５４０は、複数のウェイト部（不図示）を受けるよう構成された複数のウェイトポート（不図示）を各々が有する１以上のウェイトポート領域（不図示）を含んでもよい。ウェイトポート領域、ウェイトポート及び／又はウェイト部は、（例えば、上記の実施例で記載したように）本明細書に記載のウェイトポート領域、ウェイトポート及びウェイト部と多くの点で類似してもよい。あるいは、ボトム部２５４０は、ウェイトポート及び／又はウェイト部を持つ任意のウェイトポート領域を有しなくてもよい。本明細書に記載の器具、方法、及び製造物は、これに限定されない。
【００７３】
ボディ部２５１０は、部分的に又は完全に、アルミニウム系材料、マグネシウム系材料、鋼系材料、チタン系材料、それらの任意の組み合わせ、又は他の適切なタイプの材料で作製されてもよい。別の例では、ボディ部２５１０は、部分的に又は完全に、セラミック材料、複合材料、それらの任意の組み合わせ、又は他の適切なタイプの材料のような、非金属材料で作製されてもよい。
【００７４】
ゴルフクラブヘッド２５００は、３００立方センチメートル（ｃｍ3又はｃｃ）以上のクラブヘッド体積を有してもよい。一例では、ゴルフクラブヘッド２５００は、約４６０ｃｃであってもよい。あるいは、ゴルフクラブヘッド２５００は、３００ｃｃ以下のクラブヘッド体積を有してもよい。具体的には、ゴルフクラブヘッド２５００は、１００ｃｃ〜２００ｃｃの間のクラブヘッド体積を有してもよい。ゴルフクラブヘッド２５００のクラブヘッド体積は、加重水置換法（すなわち、アルキメデスの原理）を用いて測ることができる。例えば、ゴルフ標準団体、及び／又は、全米ゴルフ協会（ＵＳＧＡ）及び／又は全英ゴルフ協会（Ｒ＆Ａ）等のような運営組織によって規定された手順を、ゴルフクラブヘッド２５００のクラブヘッド体積を測定するために使用することができる。図２５は特定のタイプのクラブヘッド（例えば、ドライバー型クラブヘッド）を示すが、本明細書に記載の器具、方法、及び製造物は、他のタイプのクラブヘッド（例えば、フェアウェイウッド型クラブヘッド、ハイブリッド型クラブヘッド、アイアン型クラブヘッド、パター型クラブヘッド、等）に適用されてもよい。本明細書に記載の器具、方法、及び製造物は、これに限定されない。
【００７５】
フロント部２５７０は、打撃面でもある外側２５８０と、内側２５９０とを有するフェース部２５７５を含んでもよい。フェース部２５７５の幾つかの部分は、本明細書に記載のように、トップ部２５３０とボトム部２５４０の間、及び／又は、トウ部２５５０とヒール部２５６０の間で、一定の又は変化する厚さを有してもよい。フェース部２５７５の最小の厚さは、本明細書ではフェース部厚さ（ＴFP）と称され得る。一例では、フェース部厚さは、０．０３インチ（０．７６２ｃｍ）〜０．１２インチ（０．３０５ｃｍ）の間（０．０３＜ＴFP＜０．１２）であってもよい。別の例では、フェース部厚さは、０．０４インチ（０．１０２ｃｍ）〜０．１インチ（０．２５４ｃｍ）の間（０．０４＜ＴFP＜０．１）であってもよい。更に別の例では、フェース部厚さは、０．０５インチ（０．１２７ｃｍ）〜０．０９インチ（０．２２９ｃｍ）の間（０．０５＜ＴFP＜０．０９）であってもよい。本明細書に記載の器具、方法、及び製造物は、これに限定されない。
【００７６】
図２６に示すように、例えば、内側２５９０は、概してフェース部２５７５のインパクト領域又はその付近でのフェース部２３７５の厚さとして画定され得る、第１の厚さ（Ｔ1）を有する中央部２６００を含んでもよい。フェース部２５７５のインパクト領域は、約１．６８インチ（４．２７ｃｍ）の幅を有する、フェース部２５７５の中間の下にある中央ストリップとして画定されてもよい。中央部２６００は、フェース部２５７５のインパクト領域の範囲内にあってもよい。したがって、一例では、中央部２６００は、約０．８４インチ（２．１４４ｃｍ）以下の半径を有してもよい。中央部の半径は、任意の対称又は非対称の形状を有する中央部２６００の幾何学的中心から中央部２６００の境界までの最大の距離であってもよい。別の例では、中央部２６００は、約０．７インチ（１．７７８ｃｍ）以下の半径を有してもよい。更に別の例では、中央部２６００は、約０．６インチ（１．５２４ｃｍ）以下の半径を有してもよい。更に別の例では、中央部２６００は、約０．５インチ（１．２７ｃｍ）以下の半径を有してもよい。更に別の例では、中央部２６００は、約０．４インチ（１．２７ｃｍ）以下の半径を有してもよい。更に別の例では、中央部２６００は、ゴルフボール（不図示）の半径と概ね同様な半径を有してもよい。あるいは、中央部２６００は、インパクト領域より大きくてもよい。更に、中央部２６００の幾つかの部分はインパクト領域の外側に設けられ得るものの、中央部２６００の他の部分はインパクト領域内に設けられ得る。本明細書に記載の器具、方法、及び製造物は、これに限定されない。
【００７７】
第１の厚さは、フェース部厚さより大きくてもよい（Ｔ1＞ＴFP）。中央部２６００は、概してフェース部２５７５のインパクト領域又はゴルフボール（不図示）を打つのに使用されるフェース部２５７５の領域に配置されてもよい。中央部２６００は、フェース部２５７５の幾何学的中心に対して、トップ部２５３０、ボトム部２５４０、トウ部２５５０、又はヒール部２５６０の方にずらされてもよい。中央部２６００は、任意の形状を有してもよい。例えば、中央部２６００は、概して正方形、長方形、三角形、円形、楕円形、五角形、六角形、多角形、又は星形のいずれか、又はそれらの組み合わせであってもよい。本明細書に記載の器具、方法、及び製造物は、これに限定されない。
【００７８】
フェース部２５７５の内側２５９０は、概して図２６に内側壁部２６１２、２６１４、２６１６、２６１８、２６２０、２６２２として示される、複数の内側壁部２６１０を含んでもよい。したがって、図２６の例では、ボディ部２５１０は、６つの内側壁部２６１０（すなわち、第１〜第６の内側壁部）を含む。本明細書に記載の壁部（例えば、内側壁部又は外側壁部）は、フェース部２５７５の内側２５９０からボディ部２５１０内に突き出たフェース部２５７５の内側２５９０の部分又は領域を画定してもよい。換言すれば、本明細書に記載の壁部は、フェース部厚さより大きい厚さを有するフェース部２５７５の部分又は領域を画定してもよい。内側２５９０は、任意の数の内側壁部２６１０を含んでもよい。内側壁部２６１０は、中央部２６００から内側２５９０の外側壁部２６３０まで延伸してもよい。内側壁部２６１０は、中央部２６００に接続されてもよく、及び／又は外側壁部２６３０に接続されてもよい。内側壁部２６１０は、任意の構成（すなわち、任意の向き、角度、隣接する内側壁部との間隔など）で、中央部２６００から外側壁部２６３０まで延伸してもよい。
【００７９】
例えば、内側壁部２６１２は、中央部２６００からトウ部２５５０に向かって延伸してもよい。内側壁部２６１４は、中央部２６００からボトム部２５４０及びトウ部２５５０に向かって延伸してもよい。内側壁部２６１６は、中央部２６００からボトム部２５４０及びヒール部２５６０に向かって延伸してもよい。内側壁部２６１８は、中央部２６００からヒール部２５６０に向かって延伸してもよい。内側壁部２６２０は、中央部２６００からトップ部２５３０及びヒール部２５６０に向かって延伸してもよい。内側壁部２６２２は、中央部２６００からトップ部２５３０及びトウ部２５５０に向かって延伸してもよい。
【００８０】
更に、内側壁部２６１０は、幅が変化してもよい。一例では、内側壁部２６１０の任意の幅は、約０．１インチ（０．２５４ｃｍ）〜約０．７５インチ（１．９０５ｃｍ）の間であってもよい。別の例では、内側壁部２６１０の任意の幅は、約０．２インチ（０．５０８ｃｍ）〜約０．５インチ（１．２７ｃｍ）の間であってもよい。内側壁部２６１０はまた、断面形状が変化してもよい。一例では、１以上の内側壁部は、長方形の断面形状を有してもよい。別の例では、１以上の内側壁部は、楕円形の断面形状を有してもよい。更に別の例では、１以上の内側壁部は、台形状の断面形状を有してもよい。あるいは、各内側壁部の断面構造及び／又は幅は、中央部２６００と外側壁部２６３０の間で変化してもよい。本明細書に記載の器具、方法、及び製造物は、これに限定されない。
【００８１】
外側壁部２６３０は、第１の厚さよりも小さい（Ｔ2＜Ｔ1）がフェース部厚さより大きい第２の厚さ（Ｔ2）を有してもよい。しかしながら、外側壁部２６３０の厚さは変化してもよい。第２の厚さは、概して外側壁部２６３０又はその付近でのフェース部２５７５の厚さとして画定されてもよい。外側壁部２６３０は、中央部２６００を少なくとも部分的に取り囲んでもよい。図２６の例では、外側壁部２６３０は、中央部２６００を取り囲むループに似ている。一例では、第１の厚さは、約０．１インチ（０．２５ｃｍ）〜約０．２インチ（０．５０ｃｍ）の間であってもよく（０．１＜Ｔ1＜０．２）、第２の厚さは、０．０５インチ（０．１３ｃｍ）〜０．１５インチ（０．３８ｃｍ）の間であってもよい。別の例では、第１の厚さは、約０．１２５インチ（０．３２ｃｍ）〜約０．１７５インチ（０．４４ｃｍ）の間であってもよく、第２の厚さは、約０．０７５インチ（０．１９ｃｍ）〜約０．１２５インチ（０．３２ｃｍ）の間であってもよい。本明細書に記載の器具、方法、及び製造物は、これに限定されない。
【００８２】
中央部２６００と、内側壁部２６１０と、外側壁部２６３０との間において、フェース部２５７５の内側２５９０は、概してバック部領域２６５２、２６５４、２６５６、２６５８、２６５９、２６６０、２６６２として示される、バック部領域２６５０を含んでもよい。バック部領域２６５２、２６５４、２６５６、２６５８、２６５９、２６６０の各々は、中央部２６００と、２つの隣接する内側壁部２６１０と、外側壁部２６３０の対応する部分とによって結合されてもよい。バック部領域２６６２は、外側壁部２６３０を取り囲んでもよい。バック部領域２６５０は、同じ厚さを有してもよく、異なる厚さを有してもよい。バック部領域２６５０は、第１の厚さよりも小さく（Ｔ3＜Ｔ1）且つ第２の厚さよりも小さい（Ｔ3＜Ｔ2）第３の厚さ（Ｔ3）を有してもよい。第３の厚さは、概してバック部領域２６５０又はその付近でのフェース部２５７５の厚さとして画定されてもよい。一例では、バック部領域２６５０の任意の厚さは、フェース部厚さと同じでもよい。一例では、バック部領域２６５０は、約０．０３インチ（０．７６２ｃｍ）〜約０．１４インチ（０．３６ｃｍ）の間の第３の厚さを有してもよい。別の例では、バック部領域２６５０は、約０．０５インチ（０．１２７ｃｍ）〜約０．１２インチ（０．３０ｃｍ）の間の第３の厚さを有してもよい。別の例では、バック部領域２６５０は、フェース部厚さと同様の厚さを有してもよい。本明細書に記載の器具、方法、及び製造物は、これに限定されない。
【００８３】
内側壁部２６１０の各々は、一定の厚さ又は変化する厚さを有してもよい。一例では、内側壁部２６１０の各々の厚さは、中央部２６００から外側壁部２６３０まで設けられた内側壁部２６１０のように、中央部２６００から外側壁部２６３０に向かう方向において、第１の厚さ（Ｔ1）から第２の厚さ（Ｔ2）に推移してもよい。したがって、各内側壁部２６１０の厚さは、内側壁部２６１０と中央部２６００の間の接続領域における第１の厚さ（Ｔ1）と同様であってもよく、各内側壁部２６１０の厚さは、内側壁部２６１０と外側壁部２６３０の間の接続領域における第２の厚さ（Ｔ2）と同様であってもよい。本明細書に記載の器具、方法、及び製造物は、これに限定されない。
【００８４】
本明細書に記載された及び図２６に示された例によれば、フェース部２５７５は、フェース部２５７５のインパクト領域又はその近傍にあって中央部２６００とも称される、フェース部厚さよりも大きい第１の厚さＴ1を有する、第１の領域を含んでもよい。フェース部２５７５は、本明細書では外側壁部２６３０とも称される、第１の領域を少なくとも部分的に取り囲むとともに第１の厚さＴ1よりも小さい第２の厚さＴ2を有する、第２の領域を含んでもよい。フェース部２５７５は、内側壁部２６１０とも称される、第１の厚さＴ1以下で且つ第２の厚さＴ2以上の一定の又は変化する厚さを有する、複数の第３の領域を含んでもよい。フェース部２５７５は、本明細書ではバック部領域２６５０とも称される、第１の厚さＴ1及び第２の厚さＴ2より小さい第３の厚さＴ3を有し、あるいはフェース部厚さ（ＴFP）と同様の第３の厚さＴ3を有する、複数の第４の領域を含んでもよい。バック部領域２６６２は、第３の厚さＴ3を有するとともに第２の領域又は外側壁部２６３０を取り囲み、本明細書では第５の領域とも称され得る。このように、フェース部２５７５は、本明細書に記載のように構成された異なる厚さを有する複数の領域を含む。本明細書に記載の器具、方法、及び製造物は、これに限定されない。
【００８５】
図２７〜図２９の例では、ゴルフクラブヘッド２７００は、トップ部２７３０と、ボトム部２７４０と、トウ部２７５０と、ヒール部２７６０と、フロント部２７７０と、リア部（不図示）とを含むボディ部２７１０を含んでもよい。ボディ部２７１０はまた、シャフト（不図示）を受けるホーゼル部２７６５を含んでもよい。あるいは、ボディ部２７１０は、ホーゼル部２７６５に代えてボアを含んでもよい。ボトム部２７４０は、複数のウェイト部（不図示）を受けるよう構成された複数のウェイトポート（不図示）を各々が有する１以上のウェイトポート領域（不図示）を含んでもよい。ウェイトポート領域、ウェイトポート及び／又はウェイト部は、（例えば、上記の実施例で記載したように）本明細書に記載のウェイトポート領域、ウェイトポート及びウェイト部と多くの点で類似してもよい。あるいは、ボトム部２７４０は、ウェイトポート及び／又はウェイト部を持つ任意のウェイトポート領域を有しなくてもよい。本明細書に記載の器具、方法、及び製造物は、これに限定されない。
【００８６】
ボディ部２７１０は、部分的に又は完全に、アルミニウム系材料、マグネシウム系材料、鋼系材料、チタン系材料、それらの任意の組み合わせ、又は他の適切なタイプの材料で作製されてもよい。別の例では、ボディ部２７１０は、部分的に又は完全に、セラミック材料、複合材料、それらの任意の組み合わせ、又は他の適切なタイプの材料のような、非金属材料で作製されてもよい。
【００８７】
ゴルフクラブヘッド２７００は、３００立方センチメートル（ｃｍ3又はｃｃ）以上のクラブヘッド体積を有してもよい。一例では、ゴルフクラブヘッド２７００は、約４６０ｃｃであってもよい。あるいは、ゴルフクラブヘッド２７００は、３００ｃｃ以下のクラブヘッド体積を有してもよい。具体的には、ゴルフクラブヘッド２７００は、１００ｃｃ〜２００ｃｃの間のクラブヘッド体積を有してもよい。ゴルフクラブヘッド２７００のクラブヘッド体積は、加重水置換法（すなわち、アルキメデスの原理）を用いて測ることができる。例えば、ゴルフ標準団体、及び／又は、全米ゴルフ協会（ＵＳＧＡ）及び／又は全英ゴルフ協会（Ｒ＆Ａ）等のような運営組織によって規定された手順を、ゴルフクラブヘッド２４００のクラブヘッド体積を測定するために使用することができる。図２７は特定のタイプのクラブヘッド（例えば、ドライバー型クラブヘッド）を示すが、本明細書に記載の器具、方法、及び製造物は、他のタイプのクラブヘッド（例えば、フェアウェイウッド型クラブヘッド、ハイブリッド型クラブヘッド、アイアン型クラブヘッド、パター型クラブヘッド、等）に適用されてもよい。本明細書に記載の器具、方法、及び製造物は、これに限定されない。
【００８８】
フロント部２７７０は、打撃面でもある外側２７８０と、内側２７９０とを有するフェース部２７７５を含んでもよい。フェース部２７７５の幾つかの部分は、本明細書に記載のように、トップ部２７３０とボトム部２７４０の間、及び／又は、トウ部２７５０とヒール部２７６０の間で、一定の又は変化する厚さを有してもよい。フェース部２７７５の最小の厚さは、本明細書ではフェース部厚さ（ＴFP）と称され得る。一例では、フェース部厚さは、０．０３インチ（０．７６２ｃｍ）〜０．１２インチ（０．３０５ｃｍ）の間（０．０３＜ＴFP＜０．１２）であってもよい。別の例では、フェース部厚さは、０．０４インチ（０．１０２ｃｍ）〜０．１インチ（０．２５４ｃｍ）の間（０．０４＜ＴFP＜０．１）であってもよい。更に別の例では、フェース部厚さは、０．０５インチ（０．１２７ｃｍ）〜０．０９インチ（０．２２９ｃｍ）の間（０．０５＜ＴFP＜０．０９）であってもよい。本明細書に記載の器具、方法、及び製造物は、これに限定されない。
【００８９】
図２８に示すように、例えば、内側２７９０は、概してフェース部２７７５のインパクト領域又はその付近でのフェース部２７７５の厚さとして画定され得る、第１の厚さ（Ｔ1）を有する中央部２８００を含んでもよい。フェース部２７７５のインパクト領域は、約１．６８インチ（４．２７ｃｍ）の幅を有する、フェース部２７７５の中間の下にある中央ストリップとして画定されてもよい。中央部２８００は、フェース部２７７５のインパクト領域の範囲内にあってもよい。したがって、一例では、中央部２８００は、約０．８４インチ（２．１４４ｃｍ）以下の半径を有してもよい。中央部の半径は、任意の対称又は非対称の形状を有する中央部２８００の幾何学的中心から中央部２８００の境界までの最大の距離であってもよい。別の例では、中央部２８００は、約０．７インチ（１．７７８ｃｍ）以下の半径を有してもよい。更に別の例では、中央部２８００は、約０．６インチ（１．５２４ｃｍ）以下の半径を有してもよい。更に別の例では、中央部２８００は、約０．５インチ（１．２７ｃｍ）以下の半径を有してもよい。更に別の例では、中央部２８００は、約０．４インチ（１．２７ｃｍ）以下の半径を有してもよい。更に別の例では、中央部２８００は、ゴルフボール（不図示）の半径と概ね同様な半径を有してもよい。あるいは、中央部２８００は、インパクト領域より大きくてもよい。更に、中央部２８００の幾つかの部分はインパクト領域の外側に設けられ得るものの、中央部２８００の他の部分はインパクト領域内に設けられ得る。本明細書に記載の器具、方法、及び製造物は、これに限定されない。
【００９０】
第１の厚さは、フェース部厚さより大きくてもよい（Ｔ1＞ＴFP）。中央部２８００は、概してフェース部２７７５のインパクト領域又はゴルフボール（不図示）を打つのに使用されるフェース部２５７５の領域に配置されてもよい。中央部２８００は、フェース部２７７５の幾何学的中心に対して、トップ部２７３０、ボトム部２７４０、トウ部２７５０、又はヒール部２７６０の方にずらされてもよい。中央部２８００は、任意の形状を有してもよい。例えば、中央部２８００は、概して正方形、長方形、三角形、円形、楕円形、五角形、六角形、多角形、又は星形のいずれか、又はそれらの組み合わせであってもよい。本明細書に記載の器具、方法、及び製造物は、これに限定されない。
【００９１】
フェース部２７７５の内側２７９０は、概して図２８に内側壁部２８１２、２８１４、２８１６、２８１８として示される、複数の内側壁部２８１０を含んでもよい。したがって、図２８の例では、ボディ部２７１０は、４つの内側壁部２８１０（すなわち、第１〜第４の内側壁部）を含む。本明細書に記載の壁部（例えば、内側壁部又は外側壁部）は、フェース部２７７５の内側２７９０からボディ部２７１０内に突き出たフェース部２７７５の内側２７９０の部分又は領域を画定してもよい。換言すれば、本明細書に記載の壁部は、フェース部厚さより大きい厚さを有するフェース部２７７５の部分又は領域を画定してもよい。内側２７９０は、任意の数の内側壁部２８１０を含んでもよい。内側壁部２８１０は、中央部２８００から内側２７９０の外側壁部２８３０まで延伸してもよい。内側壁部２８１０は、中央部２８００に接続されてもよく、及び／又は外側壁部２８３０に接続されてもよい。内側壁部２８１０は、任意の構成（すなわち、任意の向き、角度、隣接する内側壁部との間隔など）で、中央部２８００から外側壁部２８３０まで延伸してもよい。
【００９２】
例えば、内側壁部２８１２は、中央部２８００からトウ部２７５０に向かって延伸してもよい。内側壁部２８１４は、中央部２８００からボトム部２７４０に向かって延伸してもよい。内側壁部２８１６は、中央部２８００からヒール部２７６０に向かって延伸してもよい。内側壁部２８１８は、中央部２８００からトップ部２７３０に向かって延伸してもよい。
【００９３】
更に、内側壁部２８１０は、幅が変化してもよい。図２９に示す一例では、内側壁部２８１２、２８１６は、図２８の内側壁部２８１２、２８１６よりも幅が広い。このように、図２９の例は、内側壁部２８１２、２８１６の幅を除いて図２８の例と多くの点で類似している。別の例では、内側壁部２８１０の任意の幅は、約０．１インチ（０．２５４ｃｍ）〜約０．７５インチ（１．９０５ｃｍ）の間であってもよい。一例では、内側壁部２８１０の任意の幅は、約０．２インチ（０．５０８ｃｍ）〜約０．５インチ（１．２７ｃｍ）の間であってもよい。内側壁部２８１０はまた、断面形状が変化してもよい。一例では、１以上の内側壁部は、長方形の断面形状を有してもよい。別の例では、１以上の内側壁部は、楕円形の断面形状を有してもよい。更に別の例では、１以上の内側壁部は、台形状の断面形状を有してもよい。あるいは、各内側壁部の断面構造及び／又は幅は、中央部２８００と外側壁部２８３０の間で変化してもよい。本明細書に記載の器具、方法、及び製造物は、これに限定されない。
【００９４】
外側壁部２８３０は、第１の厚さよりも小さい（Ｔ2＜Ｔ1）がフェース部厚さより大きい第２の厚さ（Ｔ2）を有してもよい。しかしながら、外側壁部２９３０の厚さは変化してもよい。第２の厚さは、概して外側壁部２８３０又はその付近でのフェース部２７７５の厚さとして画定されてもよい。外側壁部２８３０は、中央部２８００を少なくとも部分的に取り囲んでもよい。図２８の例では、外側壁部２８３０は、中央部２８００を取り囲むループに似ている。一例では、第１の厚さは、約０．１インチ（０．２５ｃｍ）〜約０．２インチ（０．５０ｃｍ）の間であってもよく（０．１＜Ｔ1＜０．２）、第２の厚さは、０．０５インチ（０．１３ｃｍ）〜０．１５インチ（０．３８ｃｍ）の間であってもよい。別の例では、第１の厚さは、約０．１２５インチ（０．３２ｃｍ）〜約０．１７５インチ（０．４４ｃｍ）の間であってもよく、第２の厚さは、約０．０７５インチ（０．１９ｃｍ）〜約０．１２５インチ（０．３２ｃｍ）の間であってもよい。本明細書に記載の器具、方法、及び製造物は、これに限定されない。
【００９５】
中央部２８００と、内側壁部２８１０と、外側壁部２８３０との間において、フェース部２８７５の内側２７９０は、概してバック部領域２８５２、２８５４、２８５６、２８５８、２８６２として示される、バック部領域２８５０を含んでもよい。バック部領域２８５２、２８５４、２８５６、２８５８の各々は、中央部２８００と、２つの隣接する内側壁部２８１０と、外側壁部２８３０の対応する部分とによって結合されてもよい。バック部領域２８６２は、外側壁部２８３０を取り囲んでもよい。バック部領域２８５０は、同じ厚さを有してもよく、異なる厚さを有してもよい。バック部領域２８５０は、第１の厚さよりも小さく（Ｔ3＜Ｔ1）且つ第２の厚さよりも小さい（Ｔ3＜Ｔ2）第３の厚さ（Ｔ3）を有してもよい。第３の厚さは、概してバック部領域２８５０又はその付近でのフェース部２７７５の厚さとして画定されてもよい。一例では、バック部領域２８５０の任意の厚さは、フェース部厚さと同じでもよい。一例では、バック部領域２８５０は、約０．０３インチ（０．７６２ｃｍ）〜約０．１４インチ（０．３６ｃｍ）の間の第３の厚さを有してもよい。別の例では、バック部領域２８５０は、約０．０５インチ（０．１２７ｃｍ）〜約０．１２インチ（０．３０ｃｍ）の間の第３の厚さを有してもよい。別の例では、バック部領域２８５０は、フェース部厚さと同様の厚さを有してもよい。本明細書に記載の器具、方法、及び製造物は、これに限定されない。
【００９６】
内側壁部２８１０の各々は、一定の厚さ又は変化する厚さを有してもよい。一例では、内側壁部２８１０の各々の厚さは、中央部２８００から外側壁部２８３０まで設けられた内側壁部２８１０のように、中央部２８００から外側壁部２８３０に向かう方向において、第１の厚さ（Ｔ1）から第２の厚さ（Ｔ2）に推移してもよい。したがって、各内側壁部２８１０の厚さは、内側壁部２８１０と中央部２８００の間の接続領域における第１の厚さ（Ｔ1）と同様であってもよく、各内側壁部２８１０の厚さは、内側壁部２８１０と外側壁部２８３０の間の接続領域における第２の厚さ（Ｔ2）と同様であってもよい。本明細書に記載の器具、方法、及び製造物は、これに限定されない。
【００９７】
本明細書に記載された及び図２８に示された例によれば、フェース部２７７５は、フェース部２７７５のインパクト領域又はその近傍にあって中央部２８００とも称される、フェース部厚さよりも大きい第１の厚さＴ1を有する、第１の領域を含んでもよい。フェース部２７７５は、本明細書では外側壁部２８３０とも称される、第１の領域を少なくとも部分的に取り囲むとともに第１の厚さＴ1よりも小さい第２の厚さＴ2を有する、第２の領域を含んでもよい。フェース部２７７５は、内側壁部２８１０とも称される、第１の厚さＴ1以下で且つ第２の厚さＴ2以上の一定の又は変化する厚さを有する、複数の第３の領域を含んでもよい。フェース部２７７５は、本明細書ではバック部領域２８５０とも称される、第１の厚さＴ1及び第２の厚さＴ2より小さい第３の厚さＴ3を有し、あるいはフェース部厚さと同様の第３の厚さＴ3を有する、複数の第４の領域を含んでもよい。バック部領域２８６２は、第３の厚さＴ3を有するとともに第２の領域又は外側壁部２８３０を取り囲み、本明細書では第５の領域とも称され得る。このように、フェース部２７７５は、本明細書に記載のように構成された異なる厚さを有する複数の領域を含む。本明細書に記載の器具、方法、及び製造物は、これに限定されない。
【００９８】
「and（及び）」と「or（又は）」の用語は、論理積及び論理和の意味の両方を有し得る。「a」と「an」の用語は、本開示で別段示さない限り、１又は複数のものとして定義される。「coupled（結合）」及びその任意の変形は、２以上の要素を化学的、機械的、及び／又は他の方法で直接又は間接に接続することを指す。「removably connected（取り外し可能に接続された）」という語句は、取り外し可能に接続された２つの要素が、いずれかの要素の有用性を破壊又は損なうことなしに互いに分離できるように定義される。
【００９９】
「substantially（実質的に，略、など）」の用語は、要素の特徴、パラメータ、特性、又は値の説明に使用される場合、要素が提供しようとする特徴、パラメータ、特性、又は値を損なわない偏差又は変動を表し得る。要素の特徴、パラメータ、特性、又は値の偏差又は変動は、例えば、許容誤差、測定誤差、測定精度限界及び他の要因に基づき得る。「proximate（近接する）」の用語は、「adjacent（隣接する）」、「close（近い）」、「immediate（接近した）」、「nearby（近隣の）」等の用語と同義であり、このような用語は、本開示に現れるように交換可能に使用され得る。
【０１００】
本明細書に記載の器具、方法、及び製造物は、種々の実施形態で実現することができ、これらの実施形態の幾つかの上記説明は、必ずしも全ての可能な実施形態の完全な説明を表すものではない。代わりに、図面の説明、及び図面自体は、少なくとも１つの実施形態を開示し、及び代替の実施形態を開示してもよい。
【０１０１】
ゴルフのルールが時々変更されるように（例えば、ゴルフ標準団体及び／又はＵＳＧＡ、Ｒ＆Ａ、等のような運営組織によって、新しい規則が採択されてもよく又は古い規則が撤廃又は変更されてもよい）、本明細書に記載の器具、方法、及び製造物に関連するゴルフ用品は、任意の特定の時点のゴルフのルールに適合しても適合しなくてもよい。従って、本明細書に記載の器具、方法、及び製造物に関連するゴルフ用品は、適合又は不適合のゴルフ用品として宣伝され、売りに出され、及び／又は販売されてもよい。本明細書に記載の器具、方法、及び製造物は、これに限定されない。
【０１０２】
更に、上記の例はゴルフクラブヘッドについて説明され得るが、本明細書に記載の器具、方法、及び製造物は、釣り竿、ホッケーのスティック、スキーのポール、テニスのラケット、等の他の適切なタイプのスポーツ用品に適用することができる。
【０１０３】
器具、方法、及び製造物の特定の例を本明細書で説明したが、本開示の対象領域はこれに限定されない。これに対し、本開示は、添付の特許請求の範囲又は均等論のスコープ内に公正に入る全ての器具、方法、及び製造物をカバーする。
【図１】
2019504686.tif 000003
【図２】
2019504686.tif 000004
【図３】
2019504686.tif 000005
【図４】
2019504686.tif 000006
【図５】
2019504686.tif 000007
【図６】
2019504686.tif 000008
【図７】
2019504686.tif 000009
【図８】
2019504686.tif 000010
【図９】
2019504686.tif 000011
【図１０】
2019504686.tif 000012
【図１１】
2019504686.tif 000013
【図１２】
2019504686.tif 000014
【図１３】
2019504686.tif 000015
【図１４】
2019504686.tif 000016
【図１５】
2019504686.tif 000017
【図１６】
2019504686.tif 000018
【図１７】
2019504686.tif 000019
【図１８】
2019504686.tif 000020
【図１９】
2019504686.tif 000021
【図２０】
2019504686.tif 000022
【図２１】
2019504686.tif 000023
【図２２】
2019504686.tif 000024
【図２３】
2019504686.tif 000025
【図２４】
2019504686.tif 000026
【図２５】
2019504686.tif 000027
【図２６】
2019504686.tif 000028
【図２７】
2019504686.tif 000029
【図２８】
2019504686.tif 000030
【図２９】
2019504686.tif 000031
【国際調査報告】
2019504686.tif 000032
2019504686.tif 000033
2019504686.tif 000034